(57)【要約】【課題】  降雨があったときに降雨の開始を安定した検出感度で検出でき、メンテナンス不要で長期間使用可能な降雨検出装置を提供すること。【解決手段】  降雨時における蓋部２０の滴下音と、降雨識別制御部８０で降雨の有無を判定し、容器本体１０Ｂ内の送信手段１２で容器本体１０Ｂの外部に設けられた受信部９０に判定結果を送信すると共に報知手段９４で報知する降雨検出装置１００であり、集音部２０は、蓋部１０Ａ、蓋部１０Ａの上面に配設されたスポンジ２２、スポンジ２２の表面および蓋部１０Ａの外表面に敷設されたアルミニウム箔シート２６、スポンジ２２の一部を厚さ方向にくり抜いて形成された収納空間２２Ａに設けられたコンデンサマイク２４、を備えていることを特徴とする。【選択図】図１
2019020199.tif 000002
【特許請求の範囲】
【請求項１】
降雨時における蓋部の滴下音を集音する集音部と、前記集音部で集音された前記滴下音を電気信号に変換して容器本体の内部に設けられた降雨識別制御部にて前記降雨の有無を判定し、前記容器本体の内部の検出部より前記容器本体の外部に設けられた受信部に対して判定結果を送信し、報知手段により報知する降雨検出装置であって、
前記集音部は、
前記蓋部と、前記蓋部の上面に配設された弾性体と、前記弾性体の表面および前記蓋部の外表面に敷設された金属箔シートと、前記弾性体の一部を厚さ方向にくり抜いて形成された収納空間に設けられた集音マイクと、を備えていることを特徴とする降雨検出装置。
【請求項２】
前記蓋部は上面に凹部が形成され、
前記弾性体は前記凹部内に収納され前記弾性体の表面が前記凹部を囲む前記蓋部の外周縁の上面と同一天面に形成されおり、
前記金属箔シートは前記弾性体および前記蓋部の外周縁と同一天面上に敷設されていることを特徴とする請求項１記載の降雨検出装置。
【請求項３】
前記集音マイクは、前記金属箔シートとの間に隙間またはスペーサを介して前記収納空間に設けられていることを特徴とする請求項１または２記載の降雨検出装置。
【請求項４】
前記降雨識別制御部は、
前記集音マイクにより集音した前記滴下音を所定周波数帯域で増幅する増幅回路と、
前記増幅回路の増幅信号が設定電圧値を超えた場合に検出信号を出力する比較回路と、
前記比較回路の出力に応じて一定時間幅のパルス電圧信号を生成するパルス電圧発生回路と、
前記パルス電圧発生回路から出力されたパルス電圧信号に応じてコンデンサに電荷を蓄え、該コンデンサに蓄えた電荷を放出する充放電回路と、
前記コンデンサに蓄えられた電荷が所定値に達するとセット信号を出力し、所定値より降下するとリセット信号を出力する論理回路とを具備することを特徴とする請求項１〜３のうちのいずれか一項に記載の降雨検出装置。
【請求項５】
前記検出部は、
前記論理回路から前記セット信号が出力されると前記受信部の前記報知手段を作動させ、前記論理回路から前記リセット信号が出力されると前記受信部の前記報知手段を停止させることを特徴とする請求項４記載の降雨検出装置。
【発明の詳細な説明】
【技術分野】
【０００１】
本発明は、降雨検出装置に関する。
【背景技術】
【０００２】
従来の降雨検出装置には、電極に落下した雨により電極を導通させて降雨を検出する方式（例えば特許文献１；特開２００３−２４８０６２号公報）がある。また、検出面に降った雨を光学的に検出する方式も知られている。
【先行技術文献】
【特許文献】
【０００３】
【特許文献１】特開２００３−２４８０６２号公報
【発明の開示】
【発明が解決しようとする課題】
【０００４】
特許文献１における降雨検出装置は、電極上に雨等が落下して電極が短絡することにより降雨を検出する構成である。このため電極に雨雫が一粒当たっただけで降雨が検出されることになる。すなわち瞬間的な降雨に対しても降雨を検出してしまうという不具合がある。また、電極を外部に露出させているため長期間の使用においては雨に含まれている不純物により電極が腐食してしまうといった不具合もある。さらには、電極に一旦雨が付いてしまうと、電極上の雨が蒸発するまでの間は降雨が継続していると判断されてしまうため、電極上の雨粒を蒸発させるためのヒータ等を設置しなければならず、小型化や省電力化には向いていないといった課題もある。
【０００５】
光学的に降雨の検出を行う降雨検出装置においても、継続的な降雨を確認するためには検出面に付着した雨を検出面から除去する手段を設けなければならず、小型で省エネルギー化された降雨検出装置にすることが困難である。
【課題を解決するための手段】
【０００６】
そこで本発明は、瞬間的な降雨に対しては降雨検出をすることがなく、ある程度継続した降雨があったときに降雨の開始を安定した検出感度で検出でき、かつメンテナンス不要で長期間使用可能な小型で省エネルギー化を図った降雨検出装置の提供を目的としている。
【０００７】
本発明は、降雨時における蓋部の滴下音を集音する集音部と、前記集音部で集音された前記滴下音を電気信号に変換して容器本体の内部に設けられた降雨識別制御部にて前記降雨の有無を判定し、前記容器本体の内部の検出部より前記容器本体の外部に設けられた受信部に対して判定結果を送信し、報知手段により報知する降雨検出装置であって、前記集音部は、前記蓋部と、前記蓋部の上面に配設された弾性体と、前記弾性体の表面および前記蓋部の外表面に敷設された金属箔シートと、前記弾性体の一部を厚さ方向にくり抜いて形成された収納空間に設けられた集音マイクと、を備えていることを特徴とする降雨検出装置である。
【０００８】
これにより、一瞬の降雨に対しその都度反応することがなく、風音や騒音等の雑音による誤作動がなく、滴下音のみを集音することが可能な集音部とすることができ、降雨の開始と終わりを安定した感度で検出することができる。また、メンテナンスが不要で長期間使用することができる小型で省エネルギー化された降雨検出装置を提供することができる。
【０００９】
また、前記蓋部は上面に凹部が形成され、前記弾性体は前記凹部内に収納され前記弾性体の表面が前記凹部を囲む前記蓋部の外周縁の上面と同一天面に形成されおり、前記金属箔シートは前記弾性体および前記蓋部の外周縁と同一天面上に敷設されていることが好ましい。
【００１０】
これにより、弾性体の上面および弾性体を外側から囲む蓋部の外周縁の上面が同一天面上に位置し、かつ、この同一天面に金属箔シートが敷設されているため、防水性が高く、腐食やごみ等の付着による検出感度への悪影響がないため、メンテナンスが不要でありながらも長期間の使用が可能になる。
【００１１】
また、前記集音マイクは、前記金属箔シートとの間に隙間またはスペーサを介して前記収納空間に設けられていることが好ましい。
【００１２】
これにより、集音部が降雨の滴下音以外の騒音を検出することによる誤動作を確実に防止することができる。
【００１３】
また、前記降雨識別制御部は、前記集音マイクにより集音した前記滴下音を所定周波数帯域で増幅する増幅回路と、前記増幅回路の増幅信号が設定電圧値を超えた場合に検出信号を出力する比較回路と、前記比較回路の出力に応じて一定時間幅のパルス電圧信号を生成するパルス電圧発生回路と、前記パルス電圧発生回路から出力されたパルス電圧信号に応じてコンデンサに電荷を蓄え、該コンデンサに蓄えた電荷を放出する充放電回路と、前記コンデンサに蓄えられた電荷が所定値に達するとセット信号を出力し、所定値より降下するとリセット信号を出力する論理回路とを具備することが好ましい。
【００１４】
これにより、雨粒の滴下による金属箔シートの打音が一定時間幅のパルス電圧信号に変換されているため、雨粒の大きさによって降雨の検出感度が左右されることがない。また、パルス電圧信号に応じて電荷を蓄えるコンデンサとコンデンサの電荷を放電する充放電回路と、コンデンサの電荷量に応じてセット信号とリセット信号を出力する論理回路を採用したことにより、降雨が無くなり、ある程度時間が経過したときに降雨の終わりを検出することが可能である。
【００１５】
また、前記検出部は、前記論理回路から前記セット信号が出力されると前記受信部の前記報知手段を作動させ、前記論理回路から前記リセット信号が出力されると前記受信部の前記報知手段を停止させることがさらに好ましい。
【００１６】
これにより、防音性の高い室内に居ながら降雨の開始と終わりを確実に認識することができる。
【発明の効果】
【００１７】
本発明における降雨検出装置の構成によれば、瞬間的な降雨にもかかわらず、継続的な降雨としての誤検出やその都度降雨検出してしまう等の不具合の発生がない。また、ある程度継続した降雨があったときに降雨の開始を安定した検出感度で検出するため、人間の感覚に適合した降雨の検出が可能である。また、集音部による降雨の滴下音に基づいて降雨検出を行う構成を採用しているので、集音部に滴下した雨を除去するための構成が不要で、メンテナンス不要で小型で省エネルギー化を実現した降雨検出装置を低コストで提供することができる。
【図面の簡単な説明】
【００１８】
【図１】第１実施形態における降雨検出装置の概略構成図である。
【図２】図１内における降雨検出装置の検出部の斜視図である。
【図３】図２におけるＩＩＩ−ＩＩＩ線における概略断面図である。
【図４】図３内のＩＶ部分における拡大図である。
【図５】コンデンサマイクから出力された滴下音信号としての電圧信号の周波数解析を行った結果を示すグラフである。
【図６】増幅回路による出力と充放電回路におけるコンデンサの電圧と経過時間との関係を示すグラフである。
【図７】第２実施形態における降雨検出装置の概略構成図である。
【発明を実施するための形態】
【００１９】
本発明における降雨検出装置について実施形態に基づいて説明する。
【００２０】
（第１実施形態）
図１〜図３に示すように本実施形態における降雨検出装置１００は、蓋部１０Ａに集音部２０を備え、容器本体１０Ｂに降雨識別制御部８０と送信手段１２を有する検出部１０と、送信手段１２と無線通信を行う受信手段９２および降雨識別制御部８０による降雨検出の判定結果を報知する報知手段９４を有する受信部９０と、を具備している。このように検出部１０と受信部９０を有する降雨検出装置１００の構成を採用することで、屋外に配設する検出部１０と屋内に配設する受信部９０の小型化が促進され、検出部１０および受信部９０の設置箇所の選択肢を増やすことができる点で好都合である。
【００２１】
図２と図３から明らかなように、検出部１０は、蓋部１０Ａと蓋部１０Ａが着脱可能な容器本体１０Ｂを有している。検出部１０の駆動電源は乾電池に代表されるバッテリ１０Ｃを用いることができる。バッテリ１０Ｃは容器本体１０Ｂに収容されている。本実施形態における検出部１０は、蓋部１０Ａに集音部２０が配設され、容器本体１０Ｂの内部には、送信手段１２と、増幅回路３０、比較回路４０、パルス電圧発生回路５０、充放電回路６０、論理回路７０を有し降雨の有無を判定する降雨識別制御部８０が収容されている。
【００２２】
本実施形態における集音部２０は、図３と図４に示すように、検出部１０の蓋部１０Ａの上面に形成された凹部１０Ａａに配設されている。より詳細には、蓋部１０Ａと、弾性体としてのスポンジ２２および集音マイクとしてのコンデンサマイク２４と、スポンジ２２および蓋部１０Ａの表面（上面）に密着させた金属箔シートとしてのアルミニウム箔シート２６により形成されている。コンデンサマイク２４はスポンジ２２の一部を厚さ方向にくり抜いて形成された収納空間２２Ａに埋設されている。収納空間２２Ａはスポンジ２２の厚さ方向に貫通する収容孔やスポンジ２２の上面に配設した収容穴を適宜選択することができる。
【００２３】
本実施形態においては、収納空間２２Ａに埋設されたコンデンサマイク２４の集音面の高さをスポンジ２２の上面高さ位置よりも下方位置となるようにしている。本実施形態においてはコンデンサマイク２４の振動感知面の上部分にはスポンジ２２上面との段差部が形成されることになるが、この段差部にはスポンジ２２と同じ素材からなるスペーサ２５を配設することによりスポンジ２２の上面との高さが同一天面となるように形成されている。
【００２４】
コンデンサマイク２４が埋設されたスポンジ２２（スペーサ２５を含む）の上面には、雑振動を遮蔽しつつも降雨時における滴下音を発生するアルミニウム箔シート２６を密着させた状態で貼付させている。このアルミニウム箔シート２６は、スポンジ２２の上面と同一天面上に位置し、かつ、凹部１０Ａａを外側から囲む蓋部１０Ａの外周縁１０Ａｂの上面にも密着させた状態で貼付（敷設）されている。このようにコンデンサマイク２４はアルミニウム箔シート２６との間にスペーサ２５を介してスポンジ２２内の収納空間２２Ａに配設されているため、雑音を降雨の滴下音として検出させることが好適に防止される。また、集音部２０の上面（検出面）はアルミニウム箔シート２６によってスポンジ２２の外周縁よりも外側範囲を含むようにして蓋部１０Ａの外表面に密着されているので、蓋部１０Ａ（検出部１０）の防水性を高めることができる。
【００２５】
このようなコンデンサマイク２４の配設形態によれば、降雨時におけるアルミニウム箔シート２６の振動（滴下音）としてコンデンサマイク２４により検出させる（滴下音を電気信号に変換する）ことができる。これに対して自動車の走行音や生活騒音等により発生した雑振動によってはアルミニウム箔シート２６が振動することがなく、しかもアルミニウム箔シート２６とスペーサ２５が雑振動遮蔽体として機能するから、コンデンサマイク２４により雑振動が検出されてしまうことはない。
【００２６】
また、アルミニウム箔シート２６の表面は凹凸のない滑らかな平坦面であるので、風切り音は発生しない。さらに、アルミニウム箔シート２６は、スポンジ２２の表面に密着させた状態で貼付されているので、アルミニウム箔シート２６の表面に対して吹き付ける風に対しても振動をすることがない。このように風に対するアルミニウム箔シート２６の振動が防止されているので、集音部２０は風による影響を受けない構造になっている。
【００２７】
コンデンサマイク２４によって降雨の滴下音によるアルミニウム箔シート２６の打音が検出されると、コンデンサマイク２４から滴下音信号としての電気信号が出力される。ここでは電気信号として電圧信号を用いている。この電圧信号はコンデンサマイク２４に電気的に接続されている増幅回路３０に入力されることになる。
【００２８】
本実施形態における増幅回路３０は、図１に示すようにコンデンサマイク２４に電気的に接続されたアンプ３２と、アンプ３２に配設されたバンドパスフィルタ３３により構成されている。コンデンサマイク２４から出力された滴下音信号としての電圧信号の周波数解析を行ったところ、図５に示すグラフに示すような結果を得た。図５から明らかなように、滴下音信号としての電圧信号は８００〜１５００Ｈｚにピークがあることが明らかである。そこで本実施形態においては、滴下音信号としての電圧信号をアンプ３２が有するアクティブフィルタとしてのバンドパスフィルタ３３によって所定周波数帯域（８００〜１５００Ｈｚ）で増幅された特定帯域増幅電圧信号（増幅信号）を生成している。このような周波数帯域のバンドパスフィルタ３３を用いることにより、コンデンサマイク２４が集音した滴下音信号を集音部２０への降雨による滴下音の電気信号に絞り込むことができ、精度の高い降雨検出が可能になる。
【００２９】
このようにして得られた特定帯域増幅電圧信号はアンプ３２から比較回路４０に出力されるここでは、比較回路４０としてコンパレータを用いている。コンパレータに入力された特定帯域増幅電圧信号に応じて（特定帯域増幅電圧信号がコンパレータに予め設定されている設定電圧値を超えると）、コンパレータは降雨検出予備信号をパルス電圧発生回路５０に出力する。本実施形態においては、パルス電圧発生回路５０として単安定マルチバイブレータを用いた。単安定マルチバイブレータは入力された降雨検出予備信号をトリガとして一定時間幅で降雨検出信号をパルス電圧信号として生成し、図６に示すように一定時間幅（３００ミリ秒〜５００ミリ秒の範囲であることが好ましい）にわたって充放電回路６０に出力する。
【００３０】
本実施形態においては、増幅回路３０（アンプ３２）とパルス電圧発生回路５０（単安定マルチバイブレータ）との間に比較回路４０（コンパレータ）を介在させることにより、所定の降雨強度に満たない特定帯域増幅電圧信号についてはパルス電圧発生回路５０に降雨検出信号を出力させないようにしている。また、パルス電圧発生回路５０による降雨検出信号（パルス電圧信号）の一定時間幅にわたる出力は、所定の降雨強度を満たせば、雨粒の大小に関係なく一定にしている。これらにより、人間の感覚に近い降雨の検出を行うことが可能になる点で好都合である。
【００３１】
パルス電圧発生回路５０により一定時間幅にわたって出力されたパルス電圧信号は、充放電回路６０に入力される。本実施形態における充放電回路６０は、第１電気抵抗器６２Ａ、ダイオード６２Ｂ、コンデンサ６２Ｃからなる充電回路６２と、コンデンサ６２Ｃに蓄えた電荷を放出させる電気抵抗器からなる放電回路６４とを有している。パルス電圧発生回路５０から出力されたパルス電圧信号は、第１電気抵抗器６２Ａおよびダイオード６２Ｂを経由させた後にコンデンサ６２Ｃへ入力される。コンデンサ６２Ｃはパルス電圧信号の累積継続時間を蓄電電圧（蓄えた電荷）によりカウントしている。
【００３２】
なお、本実施形態における単安定マルチバイブレータは、降雨検出予備信号をトリガとして一定時間幅にわたってパルス電圧信号（降雨検出信号）を出力している間においては、トリガとなった降雨検出予備信号の後に追加入力された降雨検出予備信号を無視するように設定されている。このような設定により、きわめて短い時間内で複数回の降雨検出予備信号が検出されたとしても、充電回路６２（コンデンサ６２Ｃ）にはカウントされることがなく、本来必要としない降雨以外の雑振動の検出を防ぐことができる点において好都合である。
【００３３】
また、コンデンサ６２Ｃには放電回路６４としての第２電気抵抗器が電気的に接続されている。本実施形態における第２電気抵抗器は第１電気抵抗器６２Ａよりも電気抵抗値が高いものを用いている。ここでは第２電気抵抗器の電気抵抗値を第１電気抵抗器６２Ａの電気抵抗値の５，０００倍とした。放電回路６４はコンデンサ６２Ｃに蓄積された電圧を一定の速度で放電させていることにより、充電回路６２（コンデンサ６２Ｃ）における降雨検出信号の累積継続時間を一定速度で減じている。
【００３４】
コンデンサの蓄電電圧の値（降雨検出信号の累積継続時間）が所定値（予め設定された通知電圧（通知トリガ時間））に到達すると、論理回路７０のセット信号出力部７２によりセット信号としての降雨通知信号が出力される。セット信号出力部７２から出力された降雨通知信号（降雨ありとの判定結果）は送信手段１２によって容器本体１０Ｂの外部（室内）に設けられた受信部９０に向けて無線出力される。この無線による降雨通知信号を室内に配設されている受信部９０に内蔵された受信手段９２が受信すると、これをトリガとして同じく受信部９０に配設されている報知手段９４が作動して音、光、振動等を発生させることにより使用者に降雨の検出が通知されるのである。
【００３５】
以上の降雨検出信号のみを使用者に通知するフローに対して、短時間の降雨があった後、降雨が途切れた場合について説明する。この場合、充電回路６２には最初の降雨時の降雨検出信号の継続時間が累積された後（報知手段９４による通知の有無は問わない）は、放電回路６４により充電回路６２から降雨検出信号の累積継続時間が減算される（コンデンサ６２Ｃに蓄電された電荷が放出される）のみとなる。
【００３６】
充電回路６２の降雨検出信号の累積継続時間（コンデンサの蓄電電圧の値（降雨検出信号の累積継続時間））が所定値より降下する（累積継続時間が予め設定されている所定のリセット時間に到達する）と、論理回路７０のリセット信号出力部７４からリセット信号（降雨停止通知信号）が出力される。リセット信号出力部７４から出力されたリセット信号は送信手段１２によって受信部９０に向けて無線出力される。この無線によるリセット信号を室内に配設されている受信部９０に内蔵された受信手段９２が受信すると、報知手段９４による降雨の報知動作が停止される。
【００３７】
（第２実施形態）
図７は第２実施形態における降雨検出装置の概略構成図である。本実施形態においては、第１実施形態と同様の構成については図中に第１実施形態と同じ符号を付すことによりここでの詳細な説明を省略している。本実施形態においては、論理回路７０の構成が特徴部分である。
【００３８】
本実施形態における論理回路７０は、送信手段１２に接続されたフリップフロップ７６、フリップフロップ７６に接続されたセット用コンパレータ７７およびリセット用コンパレータ７８と、電気抵抗器Ｒ１，Ｒ２，Ｒ３とにより構成されている。セット用コンパレータ７７はコンデンサ６２Ｃの蓄電電圧が所定の通知値に到達したときにフリップフロップ７６をセットする。フリップフロップ７６がセットされるとセット信号が出力され送信手段１２から受信部９０にセット信号が送信される。これに対して、コンデンサ６２Ｃの蓄電電圧が所定のリセット値に到達すると、リセット用コンパレータ７８がフリップフロップ７６をリセットする。フリップフロップ７６がセットされるとセット信号が出力され送信手段１２から受信部９０にセット信号が送信される。
【００３９】
図７に示す電気抵抗器Ｒ１と電気抵抗器Ｒ２と電気抵抗器Ｒ３の電気的公知が等しい場合には、第１実施形態と同様に、電源電圧の２／３の電圧が所定の通知値、電源電圧の１／３の電圧が所定のリセット値となる。すなわち、降雨が継続している間は、セット用コンパレータ７７がフリップフロップ７６をセットする。これにより報知手段９４により降雨が報知される。また、フリップフロップ７６がセットされた後、所定時間以上にわたって降雨が止むと、放電回路６４により電圧が低下し、電圧がリセット値に達する（リセット値より降下する）とリセット用コンパレータ７８がフリップフロップ７６をリセットするので報知手段９４による降雨の報知が解除される。
【００４０】
なお、報知手段９４は、ランプの点灯または点滅やスピーカからの音声出力により降雨検出の報知を行い、ランプの消灯または点灯やスピーカをオフさせることにより、降雨検出の報知を停止している。本実施形態における報知手段９４は降雨中において降雨の報知を継続的に行っているため、スピーカによる降雨検出の報知は最初の報知時のみ所定の報知継続時間にわたるものとし、ランプによる降雨の報知は点灯や点滅又は消灯によるものにすることが好ましい。
【００４１】
以上に本実施形態における降雨検出装置１００について説明したが、本発明の技術的範囲は本実施形態に限定されるものではない。例えば、以上の実施形態においては、容器本体１０Ｂの内部に設けられた検出部１０と容器本体１０Ｂの外部に設けられた受信部９０とからなる分離・無線通信型の降雨検出装置１００の形態について説明したが、検出部１０と受信部９０の通信は有線で行うこともできる。また、検出部１０と受信部９０を共に容器本体１０Ｂに配設した形態を採用することもできる。
【００４２】
また、第１実施形態においては、コンデンサマイク２４の集音面の高さ位置をスポンジ２２の上面の高さ位置よりも低くすると共に、コンデンサマイク２４の集音面とスポンジ２２の上面との段差部にスペーサ２５を配設しているが、この形態に限定されるものではない。スペーサ２５の配設を省略した状態でアルミニウム箔シート２６を敷設し、コンデンサマイク２４の集音面がアルミニウム箔シート２６との間に隙間を介した状態にすることもできる。さらには、コンデンサマイク２４の集音面をスポンジ２２の上面と同一天面にすると共に、スポンジ２２とアルミニウム箔シート２６の間にスポンジ２２と同一平面形状のスペーサが配設された形態を採用することもできる。
【００４３】
また、本実施形態における降雨検出装置１００の検出感度は、パルス電圧発生回路５０としての単安定マルチバイブレータによるパルス電圧信号の出力継続時間や、充電回路６２を構成する第１電気抵抗器６２Ａの電気抵抗値を変更することにより調整可能である。よって第１電気抵抗器６２Ａには可変電気抵抗器を用いることが好ましいといえる。
【００４４】
また、降雨中における消費電力を低減させるためには、パルス電圧発生回路５０としての単安定マルチバイブレータによるパルス電圧信号の出力継続時間を決定している電気抵抗器ＲとコンデンサＣの調整を行えばよい。具体的にはコンデンサＣの静電容量小さくし、電気抵抗器Ｒの電気抵抗値を大きくすればよい。このように単安定マルチバイブレータの直前に配設されている電気抵抗器ＲとコンデンサＣの調整を行うことにより、降雨識別制御部８０における消費電流値は待機時０．１４ｍＡ、降雨時０．１６ｍＡにすることができた。単純計算では２０００ｍＡのバッテリ１０Ｃで１８．５か月の使用が可能になる。
【００４５】
また、受信部９０の受信手段９２がリセット信号を受信した場合、これをトリガとして報知手段９４を作動させて音、光、振動等を発生させることにより使用者に降雨停止を通知するようにしてもよい。このとき、報知手段９４による報知内容は、降雨検出時における報知内容とは異ならせておくことが好ましい。
【００４６】
また、本発明は以上の実施形態に説明しているとおり、主として降雨を検出するためのものであるがこれに限定されるものではない。例えば、霰、霙、雹等のように滴下音を発生させることができるものであれば、それぞれの降り始め（や降り終わり）を雨と同様に検出することができる。すなわち本発明における降雨とは、降霰、降霙、降雹等を含む概念である。
【００４７】
さらには、以上の実施形態における構成に対し、明細書中に記載されている各種変形例や、他の公知の構成を適宜組み合わせた形態を採用することもできる。
【符号の説明】
【００４８】
１０  検出部，
１０Ａ  蓋部，１０Ａａ  凹部，１０Ａｂ  外周縁，
１０Ｂ  容器本体，１０Ｃ  バッテリ，１２  送信手段，
２０  集音部，
２２  スポンジ（弾性体），２２Ａ  収納空間，
２４  コンデンサマイク（集音マイク），
２５  スペーサ，２６  アルミニウム箔シート（金属箔シート），
３０  増幅回路，
３２  アンプ，３３  バンドパスフィルタ，
４０  比較回路，
５０  パルス電圧発生回路，
６０  充放電回路，
６２  充電回路，
６２Ａ  第１電気抵抗器，６２Ｂ  ダイオード，６２Ｃ  コンデンサ，
６４  放電回路，
７０  論理回路，
７２  セット信号出力部，７４  リセット信号出力部，
７６  フリップフロップ，
７７  セット用コンパレータ，７８  リセット用コンパレータ，
８０  降雨識別制御部，
９０  受信部，
９２  受信手段，９４  報知手段，
１００  降雨検出装置
【図１】
2019020199.tif 000003
【図２】
2019020199.tif 000004
【図３】
2019020199.tif 000005
【図４】
2019020199.tif 000006
【図５】
2019020199.tif 000007
【図６】
2019020199.tif 000008
【図７】
2019020199.tif 000009